(57)【要約】【課題】天板の前端部下方に幕板を配置しているテーブルにおいて、使い勝手に優れた配線ダクトを設ける。【解決手段】幕板３の上端に、下向きに凹んだ上ダクト１５を一体的に設けている。上ダクト１５は鋼板製であって断面Ｌ形の形態であり、前端縁よりも後端縁の高さが高くなっており、かつ、背部１５ｂの垂線Ｓは前部空間Ｆに向いている。従って、背部１５ｂの前面に磁石式等のテーブルタップＴを取り付けておくと、プラグを容易に抜き差しできる。また、幕板３は天板２の前端の下方に配置されているため、上ダクト１５で構成された配線空間もテーブルの前端部に位置しており、このためケーブル類の出し入れもごく簡単に行える。【選択図】図３
2015092963.tif 000002
【特許請求の範囲】
【請求項１】
左右の脚を有する本体枠とこれで支持された天板、及び、前記天板の前部から垂下した幕板とを有しており、前記天板の前端と幕板の上端との間に、人の手先を抜き差しできる間隔の前部空間が空いている構成であって、
前記幕板の上端又は天板の先端部下面若しくは両方に、非柔軟材より成る溝形で横長の上ダクトを、その背部の大半が前記前部空間を介して手前から視認できるようにして取り付けている、
テーブル。
【請求項２】
前記上ダクトは前記幕板に一体的に設けており、この上ダクトを、前端縁の高さよりも後端縁の高さが高くなるように設定している、
請求項１に記載したテーブル。
【請求項３】
前記上ダクトは鋼板製であって、その背部を平坦状に形成されていると共に側面視で鉛直に対して後傾させている、
請求項１又は２に記載したテーブル。
【請求項４】
前記幕板の左右側端のうち少なくともいずれか一方に、略後ろ側又は左右外側に開口した上下長手の配線空間を有するサイドダクトが、前記上ダクトの内部と連通するように一体的に設けられている、
請求項１〜３のうちのいずれかに記載したテーブル。
【請求項５】
左右の脚を有する本体枠とこれで支持された天板、及び、前記天板の前部から垂下した幕板とを有しており、前記幕板の左右側端のうち少なくともいずれか一方に、略後ろ側又は左右外側に開口した上下長手の配線空間を有するサイドダクトが一体的に設けられている、
テーブル。
【発明の詳細な説明】
【技術分野】
【０００１】
本願発明は、配線機能を備えたテーブルに関するものである。
【背景技術】
【０００２】
講習や会議に多用されるテーブルは、左右脚で天板を支持して、天板の前端部から幕板が下向きに垂下した構成になっている。折り畳み式テーブルの場合は、幕板は天板と脚との両方に対してリンク材等で回動可能に連結されており、天板を前傾した傾斜姿勢に跳ね上げた折り畳み状態では、幕板も天板と略平行な傾斜姿勢になっていることが多い。
【０００３】
そして、テーブルではノートパソコンのような電子・電気機器を使用することも多いため、テーブルに配線機能を設けることが提案されている。その例として特許文献１には、折り畳み式のテーブルにおいて、天板の前端部に前向き開口した配線ダクトを固定して、これを開閉自在な遮蔽部材で覆うことが開示されている。
【０００４】
他方、特許文献２には、やはり折り畳み式のテーブルにおいて、幕板を上幕板と下幕板との２つに分離構成して、下幕板は脚に固定する一方、上幕板は下幕板に対して前後回動可能に連結すると共に、上幕板の上端と支柱との間に柔軟材からなる受け膜を取付けて、上幕板を手前に回動させて受け膜を広げることで、当該受け膜を配線部材として機能させることが開示されている。
【先行技術文献】
【特許文献】
【０００５】
【特許文献１】特許第４３７１０２２号公報
【特許文献２】特許第４４５６９６９号公報
【発明の概要】
【発明が解決しようとする課題】
【０００６】
特許文献１では、ダクトは遮蔽部材で手前から塞がれているため、ケーブルやプラグ類の出し入れに際して一々遮蔽部材を空けねばならず、このため使い勝手が悪いという問題である。また、天板は折り畳み状態では前端が下になる傾斜姿勢になるため、配線ダクトは折り畳み状態で下向き開口した姿勢になり、このため、配線ダクトにケーブルやコネクタ等を収納したままにしていると、折り畳み状態でそれらが脱落してしまう虞がある。
【０００７】
他方、特許文献２は、ケーブル等の部材は受け膜で支持されるため、受け膜が破れやすいという問題がある。また、受け膜の後端縁は左右の脚（支柱）に取り付けているに過ぎないことから、受け膜の後端縁はテーブルの左右中間部に行くに従って下向きに垂れる傾向を呈するため、物品が後ろ側に脱落するおそれもある。更に、ダクトに磁石式のテーブルタップを取り付けたいという要望もあるが、特許文献２の受け膜には鋼板は使用できないため、磁石式のテーブルタップを使用できないという問題もある。
【０００８】
更に、両特許文献ともケーブル類は天板の下面に沿って配置できるに過ぎないため、電源ケーブルや通信ケーブルを床から引き出す場合、見た目が悪くなったり、テーブルの左右側部において床に垂れたケーブルが人の足に引っ掛かりやすくなったりする問題がある。
【０００９】
本願発明は、このような現状を改善すべく成されたものである。
【課題を解決するための手段】
【００１０】
本願発明は様々な構成を含んでおり、これを請求項で特定している。このうち請求項１の発明は、左右の脚を有する本体枠とこれで支持された天板、及び、前記天板の前部から垂下した幕板とを有しており、前記天板の前端と幕板の上端との間に、人の手先を抜き差しできる間隔の前部空間が空いている構成であって、前記幕板の上端又は天板の先端部下面若しくは両方に、非柔軟材より成る溝形で横長の上ダクトを、その背部の大半が前記前部空間を介して手前から視認できるようにして取り付けている。ここでいう「大半」とは、上下方向の半分程度かそれ以上をいう。
【００１１】
請求項２の発明は、請求項１において、前記上ダクトは前記幕板に一体的に設けており、この上ダクトを、前端縁の高さよりも後端縁の高さが高くなるように設定している。請求項３の発明は、請求項１又は２において、前記上ダクトは鋼板製であって、その背部を平坦状に形成されていると共に側面視で鉛直に対して後傾させている。また、請求項４の発明は、背１〜３のうちのいずれかにおいて、前記幕板の左右側端のうち少なくともいずれか一方に、略後ろ側又は左右外側に開口した上下長手の配線空間を有するサイドダクトが、前記上ダクトの内部と連通するように一体的に設けられている。
【００１２】
請求項５の発明は、左右の脚を有する本体枠とこれで支持された天板、及び、前記天板の前部から垂下した幕板とを有しており、前記幕板の左右側端のうち少なくともいずれか一方に、略後ろ側又は左右外側に開口した上下長手の配線空間を有するサイドダクトが一体的に設けられている。
【００１３】
本願発明における「一体的」とは、例えば上ダクトを例にとると、幕板と一体構造になっている場合と、別々の部材で製造されていて溶接やビス止め等の固定手段で固定されている場合との両方を含んでいる。
【発明の効果】
【００１４】
請求項１の発明では、人の手先を抜き差しできる前部空間のすぐ後ろに上ダクトが配置されるため、上ダクトにケーブル類やプラグ類を出し入れしたり、上ダクトに取付けたテーブルタップ（コンセント) にプラグを抜き差しすることを、ワンタッチ的にごく簡単に行える。
【００１５】
特に、請求項２の構成を採用すると、上ダクトが人の脚部を覆う幕板の機能を発揮するため、使用者の下半身を隠す幕板の機能は的確に発揮しつつ、配線作業を容易ならしめることができる。また、上ダクトは前端縁が低くなっているため、テーブルタップ等のコネクタ類が深く落ち込むことはなく、このため、プラグ類の抜き差しも容易である。更に、請求項３の構成を採用すると、マグネット式のテーブルタップを背部の前面に固定できるため、電源ケーブルのプラグの抜き差しが一層容易になる。また、上ダクトは非柔軟材製であるため、自重で変形してケーブル等が後ろに脱落するようなことはない。
【００１６】
請求項４のように、上ダクトに加えてサイドダクトを設けると、電源ケーブルや通信ケーブルを床から引き上げて上ダクトに這わせる場合に、それらケーブルを美麗に処理できると共に、人の足が引っ掛かる不具合も防止または低減できる。
【００１７】
請求項５はサイドダクトを特徴とする発明であるが、請求項４と同様に、電源ケーブルや通信ケーブルを床から引き上げるに際して、ケーブル類が乱雑に広がることを防止して美麗に処理できると共に、人の足がケーブル類に引っ掛かる不具合も防止または低減できる。
【００１８】
また、仮に脚に配線ダクトを設けていると、天板の端から垂れたケーブルが大きく弛んでから配線ダクトに引き込まれることが多く、このため見苦しくなることがあるが、幕板は天板の前端の下方に設けているため、請求項５の構成を採用すると、ケーブルは机上からサイドダクトに自然な状態で垂れ落ちるため、ケーブルが大きくはみ出ることはなくて見た目がよい。また、サイドダクトは幕板の左右の端部に設けているため、配線作業も楽である。
【図面の簡単な説明】
【００１９】
【図１】実施形態に係るテーブルの斜視図で、（Ａ）は上から見たもの、（Ｂ）は下から見たものである。
【図２】（Ａ）は天板を分離した斜視図、（Ｃ）は天板を省略した斜視図、（Ｂ）は脚１の部分斜視図である。
【図３】（Ａ）は手前の脚を省略した側面図、（Ｂ）はダクトの部分斜視図である。
【図４】えいは要部の分離斜視図、（Ｂ）は幕板の端部の斜視図、（Ｃ）は幕板との分離斜視図である。
【図５】折り畳み状態の斜視図であり、（Ａ）は前から見たもの、（Ｂ）は後ろから見たものである。
【図６】折り畳んだ状態で手前の脚を省略した側面図である。
【発明を実施するための形態】
【００２０】
(1).テーブルの概要
次に、本願発明の実施形態を図面に基づいて説明する。本願発明は折り畳み式のテーブルに適用している。まず、テーブルの概要を説明する。テーブルは、図１，２に示すように、左右の脚１とその上に配置された天板２、及び、脚１の手前で天板２の前部下方に配置した幕板３とを備えている。
【００２１】
脚１は、上端に支持ブロック４を装着した中空角形構造の主足５と、その上下中途部に接続された枝足６とで略人字形になっており、主足５の下端と枝足６の下端にはキャスタ７を設けている。主足５は上端が後ろに位置するように側面視で後傾姿勢になっており、枝足６は下に向けて低くなる姿勢であり、主足５の後ろに位置している。
【００２２】
左右の主足５の上端部は、中空角形の横長ステー８で連結されている。従って、本実施形態では、左右の脚１と横長ステー８で本体枠が構成されている。主足５の上端に設けた支持ブロック４には、前後長手のサイドフレーム９がその前後中途部を中心にして上下回動するように左右横長のピン（ボルト）１０で連結されており、左右のサイドフレーム９の前端部と後端部とを中空角形のジョイントバー１１で連結している。
【００２３】
サイドフレーム９とジョイントバー１１とで天板２を支持する枠組みが構成されており、天板２は、これらサイトフレーム９とジョイントバー１１にビス（図示せず）で締結されている。天板２にはビスが螺合する鬼目ナット１２（図２参照）を嵌着している。
【００２４】
左右のサイドフレーム９には、折り畳み操作のためのレバー１３を回動自在に取付けている。左右のレバー１３は連動しており、レバー１３を下向きに倒す（又は上向きに起こす）と、サイドフレーム９の内部に配置したロック機構のロックが解除されて、テーブルを折り畳むことができる。左右のロック機構を連動させるために、左右サイドフレーム９の間には複数本の連動杆１４を配置している。
【００２５】
幕板３はスチール等の金属板製であり（木製でもよい）、その上端に左右横長で下向きに凹んだ上ダクト１５を固定し、この上ダクト１５が、吊支装置１６を介して天板２に前後回動自在に連結されている。また、幕板３の左右端部には上下長手のサイドダクト１７が固定されており、幕板３のうち下寄り部位の左右側部がリンク１８によって主足５に回動可能に連結されている。
【００２６】
天板２を水平にしてテーブルとして使用する状態では、図３に明示するように、幕板３は天板２の前部下方において鉛直姿勢になっており、テーブルを折り畳んだ状態では、図６に明示するように、天板２と幕板３とは、その前端が下になると共に主足６と平行な前傾姿勢になっている。
【００２７】
(2).幕板及びダクトの詳細
次に、他の図も参照して幕板３のダクト１５，１７の詳細を説明する。幕板３は既述のとおり金属板製（鋼板製）であり、例えば図４に示すように、幕板３の上端に、水平に対して後傾した上折り曲げ片２０を設けている。
【００２８】
他方、上ダクト１４は鋼板製であって、側面視Ｌ形（或いはＶ形）に曲げることで下向きに凹んだ樋状になっており、幕板３の上折り曲げ片２０に、上ダクト１５の前片１５ａを下から重ねている。なお、幕板３の上折り曲げ片２０は水平に対して後傾している。従って、幕板３の上端面によって配線空間の一部が形成されていると見ることが可能である。
【００２９】
図３において、天板２の前端と幕板３の状態の間の前部空間を符号Ｆで示しているが、この前部空間は、一般成人の手先が入る程度の上下幅に設定している。そして、図３に示すように、上ダクト１５の背部１５ｂは、その垂線Ｓが前部空間Ｆに向かうように設定している。前片１５ａの上端（上ダクト１５の前端縁）よりも、背部１５ｂの上端（上ダクト１５の後端縁）が高くなっている。
【００３０】
吊支装置１６は、天板２の下面に固定されたフック２１と、上ダクト１５に後ろ及び下から重なったブラケット２２とから成っており、ブラケット２２の上端に斜め前向きに延びる左右一対のアーム２３を設け、左右アーム２３の前端に固定した円形のボス２４をフック２１のＵ字形鉤部２１ａに上から嵌め込んでいる。
【００３１】
そして、幕板３の上折り曲げ片２０と上ダクト１５の前片１４ａとをビス２５でブラケット２２の前片に固定すると共に、上ダクト１５の後ろ片をビス２６でブラケット２２に固定している。ブラケット２２のアーム２３は、上ダクト１５の後ろ片に設けた穴２７から手前に突出している。吊支装置１６は上ダクト１５の左右両端部と左右中間部との３カ所に配置しているが、個数と場所は任意に選択できる。
【００３２】
例えば図３から理解できるように、吊支装置１６のフック２１はその全体が天板２の下面に重なっており、鉤部２１ａは天板２で塞がれている。このため、ブラケット２２のボス２４は抜け不能に保持されている。上ダクト１５は鋼板製であって強度が高いため、このように吊支装置１６で連結することが可能になる。
【００３３】
図４（Ｃ）に示すように、幕板３の左右側部に後ろ向きのサイド折り曲げ片２８を折り曲げ形成している。一方、サイドダクト１７は樹脂製であり、図４（Ｃ）に示すように、サイドダクト１７に幕板３の側部が嵌まり込む凹所２９を形成し、サイド折り曲げ片２８をビス３０でサイドダクト１７に固定している。
【００３４】
かつ、サイドダクト１７には、凹所２９の手前に位置した上下長手の配線通路３１が略横向きに開口している。配線通路３１は上下に貫通しているが、後ろ向きの開口方向は真後ろではなくて、やや左右内側を向いている。リンク１７の前端は、幕板３のサイド折り曲げ片２８に連結されている。幕板３の下端には後ろ向きの下折り曲げ部３２を形成しているが、下折り曲げ部３２の後端は更に後ろに折り返している。このため安全である。
【００３５】
例えば図４（Ｃ）に示すように、サイドダクト１７の上端には、上ダクト１５に上から重なる平面視略台形の蓋片１７ａを設けている。このため、上ダクト１５の端面のエッジが露出する子ことを防止して、ケーブル類を保護できる。図示は省略するが、サイドダク１７に、配線通路３１における上下長手の開口縁のうち上端部や上下中間部若しくは下端部等の任意の部位に、当該配線通路３１を横切る方向に突出する突起を設けて、ケーブル類が外れを防止することも可能である。
【００３６】
(3).まとめ・その他
以上の構成において、天板２を水平に倒した使用状態では、既述のとおり幕板３は鉛直低になっており、上ダクト１５が天板２の前端部の下方において手前に開口している。従って、電源用又は通信用のケーブル類を上ダクト１５に収納して、机上又はその周囲をスッキリさせることができる。
【００３７】
図３に示すように、上ダクト１５の背面部に磁石式等のテーブルタップＴを取り付けておくことができる（通信用のコネクタやハブ、ルータなども配置可能である。）。上ダクト１５は前部空間Ｆに向けて開口しているため、上ダクト１５の内部（或いは上ダクト１５と天板２との間の配線空間）にケーブル等の物を出し入れすることも簡単に行える。
【００３８】
また、前部空間Ｆが上ダクト１５の背部１５ｂの垂線Ｓ方向に開口しているため、人の手の差し込み方向の際に背部１５ｂが位置しており、このため、背面に固定されたテーブルタップＴへのプラグの抜き差しを至極容易に行える（天板２の後ろに立った人が、手を伸ばしてプラグをテーブルタップＴに抜き差しすることも簡単に行える。）。
【００３９】
また、上ダクト１５に連通したサイドダクト１７を設けているため、ケーブル類を床から上に引き出すにおいて、ケーブル類を美麗に処理できて体裁が良いと共に、人の足がケーブル類に引っ掛かることも防止できる。サイドダクト１７は樹脂製であって上ダクト１５との連通部を滑らかな面に形成できるため、ケーブル類が擦れて損傷することを防止できる。また、本実施形態ではサイドダクト１７は幕板３の補強部材の役割も果たしている。
【００４０】
また、上ダクト１５は幕板３の上端に設けているため、配線空間もテーブルの前端部に位置している。従って、手を天板２の下方に差し込むようなことは必要なくて、上ダクト１５のケーブル類の出し入れ（配線）を楽に行える。
【００４１】
実施形態では、吊支装置１６のボス２４はフックに２１に上から嵌め込むだけでよいため、テーブルの組み立ての手間を省くことができる。この場合、ボス２４は左右のアーム２３の先端に設けており、フック２１はボス２４によって左右動不能に保持されているため、幕板３の左右ずれも発生しない。
【００４２】
フック２１の先端は天板２の前端部の近傍に位置している。このため、図６に明示するように、天板２を傾斜した姿勢に倒した折り畳み状態でも、上ダクト１５は前部空間Ｆに開口したままになっている。従って、上ダクト１５に物を置き忘れた場合、一々天板２を倒すことなく簡単に取り出すことができる。また、上ダクト１５がテーブルの折り畳みの邪魔になることもない。
【００４３】
以上、本願発明の実施形態を説明したが、本願発明は、上記の実施形態の他にも様々に具体化できる。例えば上ダクトは、側面視Ｕ形やＪ字形、或いはコ字形であってもよい。また、実施形態の上ダクト１５は幕板３とは別部材になっているが、１枚の板材で幕板と上ダクトを形成することも可能である。サイドダクトを幕板に一体化することも可能である。上ダクトは鋼板製が好ましいが、樹脂製とすることも可能である。
【００４４】
上記の実施形態は折り畳み式テーブルに適用したが、本願発明は折り畳み式でないテーブルにも適用できる。また、講堂用テーブルのような固定式のテーブルにも適用可能である。上ダクトを天板の前端部下面に固定することも可能である。
【産業上の利用可能性】
【００４５】
本願発明は、折り畳み式テーブルに具体化できる。従って、産業上利用できる。
【符号の説明】
【００４６】
１  脚
２  天板
３  幕板
８  サイドフレーム
１４  上ダクト
１５  吊支装置
１６  サイドダクト
１７  リンク
２１  吊支装置を構成するフック
２２  吊支装置を構成するブラケット
２３  アーム
２４  ボス
３１  配線通路
【図１】
2015092963.tif 000003
【図２】
2015092963.tif 000004
【図３】
2015092963.tif 000005
【図４】
2015092963.tif 000006
【図５】
2015092963.tif 000007
【図６】
2015092963.tif 000008